(57)【要約】      （修正有）【課題】完全に固定でき、外力によって引き抜かれることを防止したイヤホンオスメスコネクタ固定連接構造を提供する。【解決手段】イヤホンオスコネクタ１、および、イヤホンメスコネクタ２を相互に挿入してなり、イヤホンオスコネクタは、挿入端子１０、および、絶縁座からなり、イヤホンメスコネクタは、端子挿入座２０、および、絶縁本体からなる。イヤホンオスコネクタ中の挿入端子は、底部に近い位置に固定部１００を形成し、その辺縁は、少なくともひとつの対位凸部１０２を延伸し、イヤホンメスコネクタ中の絶縁本体は、挿入部２２０を延伸し、少なくともひとつの対位口２２２を形成する。これにより、イヤホンオスコネクタの対位凸部とイヤホンメスコネクタの対位口により、相対位置後方で、挿入端子と端子挿入座を電気的に接続させて、位置制限効果を達成し、その後、イヤホンオスコネクタを、旋転方式で、対位凸部と対位口の位置をずらして、固定部と挿入部が抵止して、完全に固定する。【選択図】図３
0003200118.tif 000002
【実用新案登録請求の範囲】
【請求項１】
イヤホンオスメスコネクタ固定連接構造であって、
挿入端子、および、絶縁座を有し、前記挿入端子は、底部に近い位置に、固定部を形成し、前記固定部辺縁に、少なくともひとつの対位凸部を延伸し、前記挿入端子は、前記絶縁座内部に装着し、且つ、前記絶縁座と前記挿入端子の間に、挿入空間を定義するイヤホンオスコネクタ、および、
端子挿入座、および、絶縁本体を有し、前記絶縁本体が、前記挿入空間に挿入できる挿入部を延伸し、前記挿入部が、前記対位凸部が対応して挿入される少なくともひとつの対位口を形成し、前記端子挿入座が、前記絶縁本体内に設置されて、前記挿入端子と電気的に接続されるイヤホンメスコネクタ、
を有することを特徴とするイヤホンオスメスコネクタ固定連接構造。
【請求項２】
前記イヤホンオスコネクタは、挿入端子と電気的に接続される連接導線を設置することを特徴とする請求項１に記載のイヤホンオスメスコネクタ固定連接構造。
【請求項３】
前記イヤホンメスコネクタは、少なくともひとつの端子挿入座と電気的に接続する連接導線を設置することを特徴とする請求項１に記載のイヤホンオスメスコネクタ固定連接構造。
【請求項４】
前記挿入部は、前記固定部を容置する容置空間、および、前記容置空間に位置する抵止内壁面を定義することを特徴とする請求項１に記載のイヤホンオスメスコネクタ固定連接構造。
【請求項５】
前記固定部は、前記抵止内壁面と接触する抵止平面を定義することを特徴とする請求項４に記載のイヤホンオスメスコネクタ固定連接構造。
【請求項６】
前記容置空間高度は、前記固定部の厚さより少し高いことを特徴とする請求項４に記載のイヤホンオスメスコネクタ固定連接構造。
【考案の詳細な説明】
【技術分野】
【０００１】
本考案は、イヤホンオスメスコネクタに関するものであって、特に、ラッチ方式で固定するイヤホンオスメスコネクタ固定連接構造に関するものである。
【背景技術】
【０００２】
市販のイヤホンプラグ、および、３Ｃ設備上に装着されるイヤホンソケットは、使用時、イヤホンプラグ中の挿入端子を、イヤホンソケット中の端子挿入座に挿入し、挿入端子と端子挿入座内部の端子電気導通により、音声を伝送しなければならず、端子挿入座内の導電端子は、弾性効果を有する構造に製作され、且つ、挿入端子と接触する接触部分は、挿入端子に対し挟持效果を有し、故に、挿入端子が、端子挿入座に挿入される時、係合の効果を生成し、挿入端子を抜きたい時、端子挿入座から円滑に脱離させるために、少し力を加えないと抜けないが、多くの場合、過多な施力なしでも、抜くことができる。
現有のイヤホンプラグは、使用時、使用者が、うっかりと、線を引いて、挿入端子を端子挿入座から脱離させ、伝送中の音声を中断してしまうので、使用者にとって不便である。
又、あるスマートフォンの使用者は、挿入端子(イヤホンプラグ)を、携帯電話を吊り下げる方式で、携帯電話中の端子挿入座に固定し、これによって、携帯電話を吊り下げ、携帯を便利にしているが、この種の方式は、引く力が過大になり、携帯電話が脱離して、地面に落下損壊し、又、知らないうちに、携帯電話を遺失するかもしれない。
【考案の概要】
【考案が解決しようとする課題】
【０００３】
本考案は、イヤホンオスコネクタが、旋転方式で、対位凸部と対位口の位置をずらし、固定部と挿入部が抵止して、完全に固定する目的を達成し、同時に、外力によって引かれて脱落するのを防止することを目的とする。
本考案は、イヤホンオスコネクタの対位凸部とイヤホンメスコネクタの対位口により、相対位置後方で、挿入端子と端子挿入座を電気的に接続させて、位置制限効果を達成することを次の目的とする。
【課題を解決するための手段】
【０００４】
上述の目的を達成するため、本考案は、イヤホンオスコネクタとイヤホンメスコネクタを有するイヤホンオスメスコネクタ固定連接構造を提供する。イヤホンオスコネクタは、挿入端子、および、絶縁座を含み、挿入端子は、底部に近い位置に、固定部を形成し、固定部辺縁は、少なくともひとつの対位凸部を延伸し、挿入端子は、絶縁座内部に装着し、且つ、絶縁座と挿入端子の間は、挿入空間を定義する。イヤホンメスコネクタは、端子挿入座、および、絶縁本体を含み、絶縁本体は、挿入空間に挿入できる挿入部を延伸し、挿入部は、対位凸部が対応して挿入される少なくともひとつの対位口を形成し、端子挿入座は絶縁本体内に設置されて、挿入端子と電気的に接続する。
本考案の一実施例によると、イヤホンオスコネクタは、挿入端子と電気的に接続される連接導線を設置する。
本考案の一実施例によると、イヤホンメスコネクタは、少なくともひとつの端子挿入座と電気的に接続する連接導線を設置する。
本考案の一実施例によると、挿入部は、固定部を容置する容置空間、および、容置空間に位置する抵止内壁面を定義する。
本考案の一実施例によると、固定部は、抵止内壁面と接触する抵止平面を定義する。
本考案の一実施例によると、容置空間高度は、固定部の厚さより少し高い。
【考案の効果】
【０００５】
外力によって引かれて脱落するのを防止することができる。
【図面の簡単な説明】
【０００６】
【図１】本考案によるイヤホンメスコネクタの立体図である。
【図２】本考案によるイヤホンオスコネクタの立体図である。
【図３】本考案によるイヤホンメスコネクタ、および、イヤホンオスコネクタの組み立て前の立体図である。
【図４】本考案によるイヤホンオスコネクタがイヤホンメスコネクタに対応して旋転する使用状態図である。
【考案を実施するための形態】
【０００７】
図１と図２は、本考案によるイヤホンオスメスコネクタ固定連接構造を示す図で、イヤホンオスコネクタ１、および、イヤホンメスコネクタ２を相互に挿入してなり、イヤホンオスコネクタ１は、挿入端子１０、および、絶縁座１２を有し、挿入端子１０は、底部に近い位置に、固定部１００を形成し、固定部１００辺縁に、少なくともひとつの対位凸部１０２を延伸し、挿入端子１０は、絶縁座１２内部に装着し、且つ、絶縁座１２と挿入端子１０の間は、挿入空間１４を定義する。イヤホンメスコネクタ２は、端子挿入座２０、および、絶縁本体２２を有し、絶縁本体２２は、挿入空間１４に挿入できる挿入部２２０を延伸し、挿入部２２０は、対位凸部１０２が対応して挿入される少なくともひとつの対位口２２２を形成し、端子挿入座２０が、絶縁本体２２内に設置されて、挿入端子１０を電気的に接続する。イヤホンコネクタ１は、挿入端子１０と電気的に接続する連接導線１６を設置し、および、イヤホンメスコネクタ２は、端子挿入座２０と電気的に接続する少なくともひとつの連接導線２４を設置する。
図３と図４を参照すると、使用時、イヤホンオスコネクタ１上の対位凸部１０２は、イヤホンメスコネクタ２上の対位口２２２に照準させ、さらに、挿入部２２０を挿入空間１４に挿入すると同時に、固定部１００を、挿入部２２０の容置空間２２００に位置させる。挿入部２２０は、容置空間２２００で、抵止内壁面２２０２を定義し、固定部１００は、抵止平面１００２を定義するので、抵止平面１００２は、抵止内壁面２２０２と相互に接触することができ、又、容置空間２２００高度は、固定部１００の厚さより少し高いので、イヤホンコネクタ１、および、イヤホンメスコネクタ２の電気的接触状態を制限、且つ、安定させると同時に、抵止平面１００２により、抵止内壁面２２０２と相互に接触し、イヤホンコネクタ１、および、イヤホンメスコネクタ２が外力により抜けるのを防止することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
オスコネクタ    1
挿入端子    10
固定部    100
抵止平面    1002
対位凸部    102
絶縁座    12
挿入空間    14
連接導線    16
メスコネクタ    2
端子挿入座    20
絶縁本体    22
挿入部    220
容置空間    2200
抵止内壁面    2202
対位口    222
連接導線    24
【図１】
0003200118.tif 000003
【図２】
0003200118.tif 000004
【図３】
0003200118.tif 000005
【図４】
0003200118.tif 000006